(57)【要約】【課題】羽根根部全体を清掃可能な換気装置を提供することを目的としている。【解決手段】換気装置１Ａ内に清掃時に複数の羽根２が重ならないように配置され、羽根２の角度が同時に可変可能なように歯車がきざまれたプレート３に接続されたシロッコファン形状の換気ファン４と、清掃時にプレート３の歯車と噛み合う歯車５とこの歯車５を駆動する可変モーター６を備えた可変手段７と、前記換気用ファン４の回転時の風きり音を低減するオリフィス８Ａと、換気ファン４を回転させるＤＣモーター９と、このＤＣモーター９の回転数と印加電圧を検出する静圧検出手段１０と、清掃時に羽根２に接するように可動するブラシ形状の清掃手段１１と、前記可変手段７の制御、ＤＣモーター９の駆動、静圧検出手段１０の信号検出、清掃手段１１の動作を制御するマイクロコンピューター１２Ａによって制御される制御手段１３Ａで構成し、羽根２に堆積した塵埃等を清掃する。【選択図】図１
2008241100.tif 000002
【特許請求の範囲】
【請求項１】
ＤＣモーターと、換気風路の静圧を検出する静圧検出手段と、羽根に付着した塵埃等を清掃する清掃手段と、清掃可能なように換気用ファンの羽根角度を可変可能な羽根可変手段を備えた換気装置。
【請求項２】
清掃手段は清掃時に羽根に接するようにしたことを特徴とする請求項１記載の換気装置。
【請求項３】
清掃手段は柔軟なブラシとしたことを特徴とする請求項１記載の換気装置。
【請求項４】
静圧検出手段は換気装置の初期設置時のモーター回転数とモーター印加電圧とを比較することを特徴とする請求項１記載の換気装置。
【請求項５】
オリフィスを着脱可能とし、清掃手段にて取り除かれた換気用ファンに付着した塵埃等をオリフィスに集めることを特徴とする請求項１記載の換気装置。
【請求項６】
清掃手段は液体を噴射する噴射ノズルとしたことを特徴とする請求項１換気装置。
【請求項７】
噴射ノズルより噴射される液体の換気用ファンに噴射される角度を羽根に対して下向きに９０度以下としたことを特徴とする請求項６記載の換気装置。
【請求項８】
噴射ノズルより噴射される液体が換気装置外へ漏れないように液体たまり部を設けたオリフィス形状としたことを特徴とする請求項８記載の換気装置。
【発明の詳細な説明】
【技術分野】
【０００１】
本発明は、室内の空気を外部に排出する換気装置に関する。
【背景技術】
【０００２】
従来、この種の換気装置はファンに塵埃が付着することによるファンの回転数が設定回転数以上になるとファンの汚れ具合を表示するものや、可動式のファン清掃装置を備えたものが知られている（例えば特許文献１および２参照）。
【０００３】
以下、可動式のファン清掃装置を備えた流体送り装置について図５を参照しながら説明する。
【０００４】
図５に示すように、ファンケーシング１０１にファン清掃部１０２が設置され、清掃運転開始の指示を受けると貫流ファン１０３にファン清掃部１０２が接触する。その後、貫流ファン１０３が低速で回転し、ファン清掃部１０２は貫流ファン１０３に蓄積した塵埃を除去するように構成されていた。
【特許文献１】特開２００２−２６７２４９号公報
【発明の開示】
【発明が解決しようとする課題】
【０００５】
このような流体送り装置では、ファン清掃部は貫流ファンにほぼ平行に接するた、半円状のファン形状であると、ファン全体を清掃することができないという課題があった。
【０００６】
本発明は、上記課題を解決するもので、ファンの羽根を可動式とすることで、ファン全体、羽根全体を清掃可能な換気装置を提供することを目的としている。
【課題を解決するための手段】
【０００７】
本発明の換気装置は、上記目的を達成するために、ＤＣモーターと、換気風路の静圧を検出する静圧検出手段と、羽根に付着した塵埃等を清掃する清掃手段と、清掃可能なように換気用ファンの羽根角度を可変可能な羽根可変手段を備えたものである。
【０００８】
この手段により、羽根に付着した埃等を掃除しやすい角度に可変できる換気装置が得られる。
【０００９】
また、他の手段は、清掃手段は清掃時に羽根に接するようにしたことを特徴としたものである。
【００１０】
この手段により、通常の羽根の位置では羽根へ掃除手段が接することなくファンの回転への負荷を加えることがない換気装置が得られる。
【００１１】
また、他の手段は、清掃手段は柔軟なブラシとしたことを特徴としたものである。
【００１２】
この手段により、羽根を傷つけたり破損させることなく、羽根に付着した塵埃等を取り除くことなできる換気装置が得られる。
【００１３】
また、他の手段は、静圧検出手段は換気装置の初期設置時のモーター回転数とモーター印加電圧と比較することを特徴としたものである。
【００１４】
この手段により、換気装置に接続された排気ダクト長による初期設定時の静圧と、塵埃等が付着した時の静圧の差を検出できる換気装置が得られる。
【００１５】
また、他の手段は、オリフィスを着脱可能とし、清掃手段にて取り除かれた換気用ファンに付着した塵埃等をオリフィスに集めることを特徴としたものである。
【００１６】
この手段により、羽根に付着した埃等を掃除した際に塵埃等が周囲に飛散しない換気装置が得られる。
【００１７】
また、他の手段は、清掃手段は液体を噴射する噴射ノズルとしたことを特徴としたものである。
【００１８】
この手段により、ブラシでとりきれない隙間の塵埃等も確実に取り除くことができる換気装置が得られる。
【００１９】
また、他の手段は、噴射ノズルより噴射される液体の換気用ファンに噴射される角度を羽根に対して下向きに９０度以下としたことを特徴としたものである。
【００２０】
この手段により、噴射ノズルより噴射される液体が周囲へ飛散することを防止することができる換気装置が得られる。
【００２１】
また、他の手段は、噴射ノズルより噴射される液体が換気装置外へ漏れないように液体たまり部を設けたオリフィス形状としたことをとしたものである。
【００２２】
この手段により、噴射ノズルより噴射される液体が周囲へ飛散することを防止し、掃除時に噴射した液体の処理が容易に行える換気装置が得られる。
【発明の効果】
【００２３】
本発明によれば、ファンの羽根を可動式とすることで、ファン全体、羽根全体を清掃可能な換気装置を提供できる。
【００２４】
また、羽根に付着した塵埃等を掃除しやすい角度に可変できる換気装置を提供できる。
【００２５】
また、通常の羽根の位置では羽根へ掃除手段が接することなくファンの回転への負荷を加えることがない換気装置を提供できる。
【００２６】
また、羽根に付着した塵埃等を確実に取り除くことができる換気装置を提供できる。
【００２７】
また、換気装置に接続された排気ダクト長による初期設定時の静圧と、塵埃等が付着した時の静圧の差を検出できる換気装置を提供できる。
【００２８】
また、羽根に付着した塵埃等を掃除した際に埃等が周囲に飛散しない換気装置を提供できる。
【００２９】
また、ブラシでとりきれない隙間の塵埃等も確実に取り除くことができる換気装置を提供できる。
【００３０】
また、噴射ノズルより噴射される液体が周囲へ飛散することを防止することができる換気装置を提供できる。
【００３１】
また、噴射ノズルより噴射される液体が周囲へ飛散することを防止し、掃除時に噴射した液体の処理が容易に行える換気装置を提供できる。
【発明を実施するための最良の形態】
【００３２】
本発明の請求項１記載の発明は、ＤＣモーターと、換気風路の静圧を検出する静圧検出手段と、羽根に付着した塵埃等を清掃する清掃手段と、清掃可能なように換気用ファンの羽根角度を可変可能な羽根可変手段を備えたものであり、羽根に付着した塵埃等を掃除しやすい角度に可変できるという作用を有する。
【００３３】
また、請求項２記載の発明は、清掃手段は清掃時に羽根に接するようにしたことを特徴とするものであり、通常の羽根の位置では羽根へ掃除手段が接することなくファンの回転への負荷を加えることがないという作用を有する。
【００３４】
また、請求項３記載の発明は、清掃手段は柔軟なブラシとしたことを特徴とするものであり、羽根を傷つけたり破損させることなく、羽根に付着した塵埃等を取り除くことなできるとうい作用を有する。
【００３５】
また、請求項４記載の発明は、静圧検出手段は換気装置の初期設置時のモーター回転数とモーター印加電圧と比較することをとするものであり、換気装置に接続された排気ダクト長による初期設定時の静圧と、塵埃等が付着した時の静圧の差を検出できるという作用を有する。
【００３６】
また、請求項５記載の発明は、オリフィスを着脱可能とし、清掃手段にて取り除かれた換気用ファンに付着した塵埃等をオリフィスに集めることを特徴としたものであり、羽根に付着した塵埃等を掃除した際に塵埃等が周囲に飛散しないとうい作用を有する。
【００３７】
また、請求項６記載の発明は、清掃手段は液体を噴射する噴射ノズルとしたことを特徴としたものであり、ブラシでとりきれない隙間の塵埃等も確実に取り除くことができるという作用を有する。
【００３８】
また、請求項７記載の発明は、噴射ノズルより噴射される液体の換気用ファンに噴射される角度を羽根に対して下向きに９０度以下としたことをとするものであり、噴射ノズルより噴射される液体が周囲へ飛散することを防止することができるという作用を有する。
【００３９】
また、請求項８記載の発明は、噴射ノズルより噴射される液体が換気装置外へ漏れないように液体たまり部を設けたオリフィス形状としたことをとしたものであり、噴射ノズルより噴射される液体が周囲へ飛散することを防止し、掃除時に噴射した液体の処理が容易に行えるという作用を有する。
【００４０】
以下、本発明の実施形態について図面を参照しながら説明する。
【００４１】
（実施の形態１）
図１〜図２に示すように、換気装置１内に清掃時に複数の羽根２が重ならないように配置され、羽根２の角度が同時に可変可能なように歯車がきざまれたプレート３に接続されたシロッコファン形状の換気ファン４と清掃時にプレート３の歯車と噛み合う歯車５とこの歯車５を駆動する可変モーター６を備えた可変手段７と、前記換気ファン４の回転時の風きり音を低減するオリフィス８Ａと、換気ファン４を回転させるＤＣモーター９と、このＤＣモーター９の回転数と印加電圧を検出する静圧検出手段１０と、清掃時に羽根２に接するように可動するブラシ形状の清掃手段１１と、前記可変手段７の制御、ＤＣモーター９の駆動、静圧検出手段１０の信号検出、清掃手段１１の動作を制御するマイクロコンピューター１２Ａによって制御される制御手段１３Ａで構成される。
【００４２】
複数の羽根２は歯車が刻まれたプレート３に接続したが、複数の羽根２を同時に可変できればプレートでなくてもよい。
【００４３】
静圧検出手段１０はＤＣモーター９の駆動制御を行う制御手段１３Ａ内に構成してもよい。
【００４４】
清掃手段１１はブラシ形状であれはよく、例えばブラシの材質は動物の毛髪やナイロン製等のもので羽根２を傷つけたり、破損しない材質であればどのようなものでもよい。
【００４５】
上記構成により、設置時の初期運転にてＤＣモーター９の回転数と印加電圧を静圧検出手段１０にて検出し、制御手段１３Ａまたは、マイクロコンピューター１２Ａ内にその回転数情報と印加電圧情報を記憶する。そして、室内の空気は排出すべく換気運転を行うと、時間経過とともに、室内の塵埃等が換気ファン４の羽根２に付着堆積していくことになる。そして羽根２に付着した塵埃等により換気風路が閉塞状態に近づいていくと、静圧検出手段１０で検出される換気ファン４の回転数とＤＣモーター９への印加電圧が初期運転時より可変していく。
【００４６】
そして、制御手段１３Ａまたは、マイクロコンピューター１２Ａ内に予め記憶されている初期運転時との差が発生すると、換気ファン４の羽根２に塵埃等が堆積し、換気能力が低下していると判断し、羽根２の清掃動作に移行する。羽根２の清掃動作はまず、制御手段１３Ａまたは、マイクロコンピューター１２Ａにより換気運転を停止し、可変手段７の可変モーター６に接続された歯車５が羽根２に接続されたプレート３の歯車と接するように可変手段７の位置を移動する。そして可変モーター６を駆動することで羽根２の角度を可変し、羽根２の角度を清掃時の角度へ可変する。角度可変が完了すると、歯車５とプレート３が接しない位置に可変手段７を移動させる。
【００４７】
続いて清掃手段１１を羽根２に接するように可動させ羽根２に接する。そして、羽根２に付着した塵埃等を掻き落すために予め設定された時間清掃運転を実施するためにＤＣモーター９を低速で回転させ、換気ファン４を回転させる。そして清掃運転が完了すると、再び歯車５とプレート３の歯車が接するように可変手段７を移動し、清掃運転前の羽根２の角度に羽根２を可変し、可変が完了すると、歯車５とプレート３が接しない位置に移動する。掻き落された塵埃等はオリフィス８Ａに堆積し、清掃運転終了後、オリフィス８Ａを取り外し、廃棄する。こうすることにより、換気能力が著しく低下することなく安定した換気能力を確保した換気運転を行うことができる。
【００４８】
なお、本実施例では、静圧検出手段１０をＤＣモーター９の回転数と印加電圧によりおこなったが、実際の風圧や、風速で静圧を検知可能であれば同様な効果が得られる。
【００４９】
また、可変モーター６を使用して羽根２を可変したが、羽根２の可変ができれば可変モーター６以外の方法で羽根２を可変しても同様な効果が得られる。
【００５０】
また、清掃手段１１を換気ファン４の外側とし、羽根２の清掃は換気ファン４の外側に羽根角度を可変したが、清掃手段１１を換気ファン４の内側へ配置し、羽根２の角度を換気ファン４の内側へ向くように可変しても羽根２の清掃ができれば同様な効果が得られる。
【００５１】
（実施の形態２）
実施の形態１と同一部分は同一符号を附し詳細な説明は省略する。図３〜図４に示すように、換気ファン４の羽根２に噴射した液体の角度Ａ部が９０度以下となるように噴射ノズル１４を配置し、清掃手段としての噴射ノズル１４から噴射する液体の保管と噴射制御を行う噴射制御手段１５と、この噴射制御手段１５とＤＣモーター９と可変手段７と静圧検出手段１０の制御を行うマイクロコンピューター１２Ｂによって制御される制御手段１３Ｂと、清掃時噴射ノズル１４から噴射し、換気ファン４の羽根２を清掃した液体が換気装置１Ｂより外部に拡散しないように、液体たまりを設けた取り外し可能なオリフィス８Ｂで構成される。
【００５２】
上記構成により、実施の形態１と同様に羽根２に塵埃等が堆積し、換気封路が閉塞状態に近づいていくと、静圧検出手段１０によって検出された静圧値が制御手段１３Ｂ、またはマイクロコンピューター１２Ｂに予め記憶されている値となると、換気運転を停止し、羽根２の清掃動作に移行し、換気ファン４の羽根２を清掃時の角度へ可変すべく可変手段７により羽根２が可変される。そして、清掃運転を実施するためにＤＣモーター９が低速で回転を開始すると噴射制御手段１５によって液体が噴射ノズル１４より羽根２に向け噴射され、羽根２の清掃が行われる。そして羽根２の清掃が完了すると可変手段７により羽根２は換気運転時の角度へ可変される。
【００５３】
また、羽根２の清掃を行った液体は周囲に飛散することなくオリフィス８Ｂの液体たまりに集まり、したがって、換気ファン４に付着した塵埃等をオリフィス８Ｂに集め、塵埃等を集めたそのオリフィス８Ｂを取り外すことで、羽根２の清掃を行った液体を排出することができる。
【００５４】
こうすることにより、清掃中の液体の飛散がなく、換気ファン４の羽根２の細かな隙間に堆積した塵埃等も清掃することができる。
【産業上の利用可能性】
【００５５】
換気装置を内蔵した浴室暖房乾燥機やファンの羽根に塵埃等の堆積しやすい場所へ設置されている送風機等、例えばトンネル内部に設置された送風機等。
【図面の簡単な説明】
【００５６】
【図１】本発明の実施の形態１の換気装置の構成を示す構成図
【図２】同上換気装置の構成を示す構成図
【図３】本発明の実施の形態２の換気装置の構成を示す構成図
【図４】同上換気装置の構成を示す構成図
【図５】従来技術の換気装置の構成を示す構成図
【符号の説明】
【００５７】
１Ａ    換気装置
１Ｂ    換気装置
２      羽根
３      プレート
４      換気ファン
５      歯車
６      可変モーター
７      可変手段
８Ａ    オリフィス
８Ｂ    オリフィス
９      ＤＣモーター
１０    静圧検出手段
１１    清掃手段
１２Ａ  マイクロコンピューター
１２Ｂ  マイクロコンピューター
１３Ａ  制御手段
１３Ｂ  制御手段
１４    噴射ノズル
１５    噴射制御手段
【図１】
2008241100.tif 000003
【図２】
2008241100.tif 000004
【図３】
2008241100.tif 000005
【図４】
2008241100.tif 000006
【図５】
2008241100.tif 000007